(57)【要約】【課題】自動取引装置内の温度上昇を抑えることにより、装置の故障の発生を防止する自動取引装置用の冷却制御装置を提供することを目的とする。【解決手段】間仕切り２により顧客側ブース３と装置裏側ブース４が分けられ、自動取引装置５が両方のブース３、４に露出している。顧客側ブース３に温度計１３を設け、顧客側ブース３内の温度を検出する。装置裏側ブース４に温度計１５を配設し、装置裏側ブース４内の温度を検出する。また自動取引装置５の顧客側に冷却ファン１０を設けるとともに、装置裏側に冷却ファン１１を設ける。自動取引装置５の制御部９は、温度計１３による温度と温度計１５による温度を比較し、温度が低い側の冷却ファンをオンし、温度の高い側の冷却ファンをオフする。これにより常に温度が低い側の空気を装置内に取り入れることができ、故障の発生を防止することが可能となる。【選択図】  図１
2008129992.tif 000002
【特許請求の範囲】
【請求項１】
間仕切りにより分けられた顧客側ブースと装置裏側ブースの両方のブースに露出した自動取引装置において、
前記顧客側ブース側に設けられた第１の冷却ファンと、
前記装置裏側ブース側に設けられた第２の冷却ファンと、
前記顧客側ブース側に配設された第１の温度検出手段および前記装置裏側ブース側に配設された第２の温度検出手段に接続され、該第１の温度検出手段により検出された温度と前記第２の温度検出手段により検出された温度を比較し、低い方の温度を検出した温度検出手段が配設されたブース側の冷却ファンを作動する制御手段とを設けたことを特徴とする自動取引装置。
【請求項２】
前記制御手段は、高い方の温度を検出した温度検出手段が配設されたブース側の冷却ファンを停止する請求項１記載の自動取引装置。
【請求項３】
前記制御手段は、高い方の温度を検出した温度検出手段が配設されたブース側の冷却ファンを逆回転する請求項１記載の自動取引装置。
【請求項４】
間仕切りにより分けられた顧客側ブースと装置裏側ブースの両方のブースに露出した自動取引装置を冷却する冷却制御装置において、
前記顧客側ブースと前記装置裏側ブースに配設され、各ブース内の温度を検出する温度検出手段と、
前記温度検出手段により検出された前記各ブース内の温度を比較する比較手段と、
前記各ブースにそれぞれ配設され、それぞれ自動取引装置の内部を冷却する冷却ファンと、
前記比較手段により、前記温度検出手段により検出された各ブースのそれぞれの温度のうち低いと判定された温度を検出した温度検出手段が配設された側のブース側の冷却ファンを作動させることを特徴とする冷却制御装置。
【請求項５】
前記制御手段は、前記比較手段により、前記温度検出手段により検出された各ブースのそれぞれの温度のうち高いと判定された温度を検出した温度検出手段が配設された側のブース側の冷却ファンを停止する請求項４記載の冷却制御装置。
【請求項６】
前記制御手段は、前記比較手段により、前記温度検出手段により検出された各ブースのそれぞれの温度のうち高いと判定された温度を検出した温度検出手段が配設された側のブース側の冷却ファンを逆回転する請求項４記載の冷却制御装置。
【発明の詳細な説明】
【技術分野】
【０００１】
本発明は、金融機関等に設置され、顧客操作により取引を自動的に行い、間仕切りにより顧客側と装置裏側に分けられた自動取引装置および該自動取引装置を冷却する冷却制御装置に関する。
【背景技術】
【０００２】
従来、銀行等に自動取引装置を設置する場合、顧客が操作を行う前面側と係員が操作を行う後面側とを仕切るように間仕切りが設けられる。間仕切りを設けることにより、装置の裏側で行員や保守員が現金の出し入れ等の作業を行うのを顧客から見えないようにするためである。
【０００３】
また自動取引装置には、装置内を冷却するための冷却ファンが設けられている。装置の稼動による装置内の温度上昇を抑えるためである。このような冷却ファンを設けた自動取引装置は、例えば、特開平１０−２５５１０３号公報に開示さている。上記公報には、自動取引装置内の紙幣取扱部や硬貨取扱部などの複数のユニットのそれぞれに、温度センサと冷却ファンを個別に設け、ユニットの温度が設定温度よりも高くなると、そのユニットのみを冷却ファンで冷却し、設定温度より低くなると、そのユニットの冷却を停止する技術が開示されている。
【特許文献１】特開平１０−２５５１０３号公報
【発明の開示】
【発明が解決しようとする課題】
【０００４】
しかしながら従来においては、装置裏側のブースは密閉されている場合が多く、排気環境が悪い。そのためブース内の温度が上昇しやすく、温度が上昇した状態で装置を冷却した場合、ブース内の熱い空気が冷却ファンにより装置内に吸入されることになる。その結果、装置内の冷却が充分にできず、想定外の温度上昇により装置の故障が発生する惧れがあるという問題があった。
【０００５】
そこで本発明は、自動取引装置内の温度上昇を抑えることにより、装置の故障の発生を防止する自動取引装置および冷却制御装置を提供することを目的とするものである。
【課題を解決するための手段】
【０００６】
上記課題を解決するために本発明による自動取引装置は、間仕切りにより分けられた顧客側ブースと装置裏側ブースの両方のブースに露出したものであって、  前記顧客側ブース側に設けられた第１の冷却ファンと、前記装置裏側ブース側に設けられた第２の冷却ファンと、前記顧客側ブース側に配設された第１の温度検出手段および前記装置裏側ブース側に配設された第２の温度検出手段に接続され、該第１の温度検出手段により検出された温度と前記第２の温度検出手段により検出された温度を比較し、低い方の温度を検出した温度検出手段が配設されたブース側の冷却ファンを作動する制御手段とを設けたことを特徴とするものである。
【０００７】
また本発明による冷却制御装置は、間仕切りにより分けられた顧客側ブースと装置裏側ブースの両方のブースに露出した自動取引装置を冷却するものであって、前記顧客側ブースと前記装置裏側ブースに配設され、各ブース内の温度を検出する温度検出手段と、前記温度検出手段により検出された前記各ブース内の温度を比較する比較手段と、前記各ブースにそれぞれ配設され、それぞれ自動取引装置の内部を冷却する冷却ファンと、前記比較手段により、前記温度検出手段により検出された各ブースのそれぞれの温度のうち低いと判定された温度を検出した温度検出手段が配設された側のブース側の冷却ファンを作動させることを特徴とするものである。
【発明の効果】
【０００８】
本発明によれば、顧客側ブースに設けられた第１の温度検出手段により検出された温度と、装置裏側ブースに設けられた第２の温度検出手段により検出された温度とを比較し、低い方の温度を検出した温度検出手段が設けられるブース側の冷却ファンを作動させる。これにより温度が低い方の空気を装置内に取り入れることができ、故障の発生を防止することが可能となる。
【発明を実施するための最良の形態】
【０００９】
以下、本発明の実施の形態を図面にしたがって説明する。各図面に共通する要素には同一の符号を付す。図１は本発明の実施の形態における自動取引装置の設置ブースを示す平面図である。図１において、設置ブース１は間仕切り２により顧客側ブース３と装置裏側ブース４に分けられている。自動取引装置５は間仕切り２により顧客側が顧客側ブース３に露出し、後側が装置裏側ブース４に露出するように配置されている。
【００１０】
自動取引装置５の顧客側には、顧客操作部６、紙幣投入排出口７、硬貨投入口８などが設けられている。また自動取引装置５の内部には制御部９および冷却ファン１０、１１が設けられている。冷却ファン１０は自動取引装置５の前部（顧客側ブース３側）に設けられ、顧客側ブース３内の空気を装置内に送り込むことにより冷却する。冷却ファン１１は自動取引装置５の装置裏側ブース４側に設けられ、装置裏側ブース４側の空気を装置内に送り込むことにより冷却するものである。また顧客側ブース３の壁１２には温度計１３が設置され、また装置裏側ブース４の壁１４にも温度計１５が設置されている。温度計１３、１５は、それぞれのブース３、４内の空気の温度を検出し、検出した温度情報を制御部９に送信する。
【００１１】
図２は実施の形態の自動取引装置を示すブロック図である。図２において、自動取引装置５には、制御部９、ファンモータ１６、１７、紙幣入出金部１８、硬貨入出金部１９、通帳処理部２０、カード処理部２１および顧客操作部６が接続されており、制御部９はこれらの各部を制御する。ファンモータ１６は自動取引装置５の顧客側ブース３側に設置された冷却ファン１０を駆動させる。ファンモータ１７は装置裏側ブース４側に設置された冷却ファン１１を駆動させる。
【００１２】
紙幣入出金部１８、硬貨入出金部１９、通帳処理部２０、カード処理部２１および顧客操作部６は自動取引装置５には周知のユニットであるため、また本発明には直接関係しないため、詳細な説明は省略する。また制御部９には温度計１３、１５が接続されている。温度計１３、１５によるブース内温度計測情報は制御部９に送られる。
【００１３】
次に実施の形態における自動取引装置に対する冷却制御動作を図３に示すフローチャートにしたがって説明する。自動取引装置５の制御部９は、内部プログラムにより所定時間毎に温度計１３、１５の温度情報をセンスしている（ステップ１）。制御部９は、温度計１３または温度計１５の温度情報により、顧客側ブース３内の温度と、装置裏側ブース４内の温度のどちらが高いか判断する（ステップ２）。
【００１４】
ここで例えば、装置裏側ブース４の温度計１５で検出した温度の方が高いと判断した場合、制御部９は、ファンモータ１６を駆動し、温度が低い方の顧客側ブース３側の冷却ファン１０をオンして作動させる（ステップ３）。さらに温度が高い方の装置裏側ブース４側の冷却ファン１１をオフさせる（ステップ４）。
【００１５】
またステップ２で、顧客側ブース３の温度計１３で検出した温度の方が高いと判断した場合、制御部９は、ファンモータ１７を駆動し、温度が低い方の装置裏側ブース４側の冷却ファン１１をオンして作動させる（ステップ５）。さらに温度が高い方の顧客側ブース３側の冷却ファン１０をオフさせる（ステップ６）。
【００１６】
以上の動作を繰り返し、所定時間毎に常に温度の低い方の冷却ファンを作動させ、温度の高い方の冷却ファンを停止させる。これにより自動取引装置５の内部の冷却は良好に行われ、温度上昇による故障等を防止することが可能となる。
【００１７】
上記実施の形態では、温度の低い方の冷却ファンを作動させた後、温度の高い方の冷却ファンを停止しているが、温度の高い方の冷却ファンについては、逆回転させるようにしてもよい。この場合の動作を図４に示すフローチャートにしたがって説明する。
【００１８】
自動取引装置５の制御部９は、内部プログラムにより所定時間毎に温度計１３、１５の温度情報をセンスしている（ステップ１１）。制御部９は、温度計１３または温度計１５の温度情報により、顧客側ブース３内の温度と、装置裏側ブース４内の温度のどちらが高いか判断する（ステップ１２）。
【００１９】
ここで例えば、装置裏側ブース４の温度計１５で検出した温度の方が高いと判断した場合、制御部９は、ファンモータ１６を駆動し、温度が低い方の顧客側ブース３側の冷却ファン１０をオンして作動させる（ステップ１３）。そして制御部９は、温度が高い方の装置裏側ブース４側のファンモータ１７を逆回転させ、冷却ファン１１を逆回転させる（ステップ１４）。冷却ファン１１の逆回転により、自動取引装置５内の空気の排気を行うことができ、自動取引装置５内の暖かい空気を排出するとともに、温度が低い方の顧客側ブース３側の冷却ファン１０による吸気を促進することができる。
【００２０】
またステップ１２で、顧客側ブース３の温度計１３で検出した温度の方が高いと判断した場合、制御部９は、ファンモータ１７を駆動し、温度が低い方の装置裏側ブース４側の冷却ファン１１をオンして作動させる（ステップ１５）とともに、温度が高い方の顧客側ブース３側の冷却ファン１０を逆回転させる（ステップ１６）。この場合も、冷却ファン１０の逆回転により、自動取引装置５内の空気の排気を行うことができ、自動取引装置５内の暖かい空気を排出するとともに、温度が低い方の装置裏側ブース４側の冷却ファン１１による吸気を促進することができる。
【００２１】
上記実施の形態では、冷却ファン１０、１１を自動取引装置５の制御部９で制御するようにしているが、これに限らず、独立の冷却装置を設けて、自動取引装置５とは独立して上記と同様の冷却動作を行うようにしてもよい。また、上記実施の形態では自動取引装置５を例に説明したが、間仕切りされたブースの両側に設置される装置であれば他の装置を冷却する場合にも適用可能である。
【図面の簡単な説明】
【００２２】
【図１】実施の形態における自動取引装置設置ブースを示す平面図である。
【図２】実施の形態の自動取引装置を示すブロック図である。
【図３】実施の形態における冷却制御動作を示すフローチャートである。
【図４】実施の形態における他の冷却制御動作を示すフローチャートである。
【符号の説明】
【００２３】
２  間仕切り
３  顧客側ブース
４  装置裏側ブース
５  自動取引装置
９  制御部
１０、１１  冷却ファン
１３、１５  温度計
【図１】
2008129992.tif 000003
【図２】
2008129992.tif 000004
【図３】
2008129992.tif 000005
【図４】
2008129992.tif 000006